(57)【特許請求の範囲】
【請求項１】
カメラを固定するカメラ台部と、前記カメラ台部の四隅から延設された軸体を回転機構の四箇所の車輪によって軸支する基台部と、を具備すると共に、前記四箇所の車輪により、基台部に対してカメラ台部が所定の円軌跡乃至円弧軌跡を回転変移し、前記車輪の回転軸の向きと撮影方向の向きとが一致したまま、撮影方向に対してカメラのレンズが所定の軌跡を描き得るようにしてなり、さらに、前記軸体は、前記車輪においてそれぞれ穿設された、半径の異なる内外の孔部のうちいずれかの孔部に、それぞれ軸支されてなることを特徴とするカメラ撮影用ツール。
【請求項２】
前記四箇所の車輪のうち一つに、車輪の回転・回動操作を、一定スピードで、あるいは断続的に手かげんして行うことのできるハンドルを付けてなる請求項１記載のカメラ撮影用ツール。
【請求項３】
請求項１または２記載のカメラ撮影用ツールを用いて、前記カメラ台部に固定したカメラのレンズに、前記所定の円軌跡乃至円弧軌跡の曲線を辿らせつつスローシャッター撮影することで、円乃至円弧の軌跡を描いたものとして現像させることを特徴とするカメラの撮影方法。
【発明の詳細な説明】
【０００１】
【発明の属する技術分野】
この発明は、カメラ撮影用ツールに関するものである。
【０００２】
【従来の技術】
歴史的に見て、初期の絵画は（芸術性の面もあるが）正確に記録する役目が強く求められていた。
【０００３】
ところで、カメラ（写真機）が開発され普及してきてからは前記絵画の役目を写真が奪い、役割が変化してきて絵画はアートの分野を受け持つように進んでいき、対象物の内面等が表現されることが多くなった。
【０００４】
時代は代わって、現代ではビデオカメラにより動画が簡単に正確に記録できるようになっており（例えば、非特許文献１参照）、カメラはかつての絵画と同じように正確な記録だけではなくアートへの道も歩んでいくものと考えられる。
【０００５】
よって、今までにはない新しい世界をカメラによって表現することができる撮影用ツールが望まれるところである。
【０００６】
【非特許文献１】
日本ビクター株式会社  ホームページ、“デジタルビデオカメラ総合目次”、［ｏｎｌｉｎｅ］、２００２、［２００３／４／１検索］、インターネット＜ＵＲＬ：ｈｔｔｐ：／／ｗｗｗ．ｊｖｃ−ｖｉｃｔｏｒ．ｃｏ．ｊｐ／ｄｖｍａｉｎ／＞
【０００７】
【発明が解決しようとする課題】
そこでこの発明は、今までにはない新しい世界を表現することができるカメラ撮影用ツールを提供しようとするものである。
【０００８】
【課題を解決するための手段】
前記課題を解決するためこの発明では次のような技術的手段を講じている。
【０００９】
(1) この発明のカメラ撮影用ツールは、カメラを固定するカメラ台部と、前記カメラ台部の四隅から延設された軸体を回転機構の四箇所の車輪によって軸支する基台部と、を具備すると共に、前記四箇所の車輪により、基台部に対してカメラ台部が所定の円軌跡乃至円弧軌跡を回転変移し、前記車輪の回転軸の向きと撮影方向の向きとが一致したまま、撮影方向に対してカメラのレンズが所定の軌跡を描き得るようにしてなり、さらに、前記軸体は、前記車輪においてそれぞれ穿設された、半径の異なる内外の孔部のうちいずれかの孔部に、それぞれ軸支されてなることを特徴とする。
【００１０】
このカメラ撮影用ツールでは、カメラが静止した状態で撮影するのではなくレンズの位置が変移しながらその軌跡を撮影することができる。また、カメラ台部はその軸体を介して基台部の回転機構の四箇所の車輪により滑らかな回転変移が可能である。そして、カメラのレンズに円軌跡乃至円弧軌跡の曲線を辿らせつつ撮影することにより今までには無い新しい世界を表現することができる。さらに、各車輪のいずれかの孔部を選択することにより異なる種類の大きさの円軌跡乃至円弧軌跡を描けるようにしている。
【００１１】
(2) 前記カメラ撮影用ツールとして、前記四箇所の車輪のうち一つに、車輪の回転・回動操作を、一定スピードで、あるいは断続的に手かげんして行うことのできるハンドルを付けてなるものとしてもよい。
【００１２】
このように構成したカメラ撮影用ツールを用いて、ハンドル操作を一定スピードではなく断続的に手加減して行うと、早く回転させた領域は光の軌跡として現像され、手を一旦止めたところは単なる光の軌跡ではなく現物の像がしっかり認識されて現像されるので、はっきりとした実像が現れる箇所と軌跡のみの領域とが手かげんの具合に応じて併存するアート感覚溢れる作品とすることができる。
【００１３】
(3) また、この発明のカメラの撮影方法は、前記カメラ撮影用ツールを用いて、前記カメラ台部に固定したカメラのレンズに、前記所定の円軌跡乃至円弧軌跡の曲線を辿らせつつスローシャッター撮影することで、円乃至円弧の軌跡を描いたものとして現像させることを特徴とする。
【００１４】
このカメラの撮影方法では、レンズの位置が変移しながらその軌跡をスローシャッター撮影することができ、今までにはない新しい世界を表現することができる。
【００１５】
【発明の実施の形態】
以下、この発明の実施の形態を図面を参照して説明する。
【００１６】
図１乃至図３に示すように、この実施形態のカメラ撮影用ツールは、カメラ１（銀鉛カメラやデジタルカメラ）を固定する金属製（スチールプレート）のカメラ台部２と、前記カメラ台部２が設置される金属製（スチールプレート）の基台部３とを具備する。前記カメラ台部２や基台部３は、金属製以外に木製やプラスチック製として形成することもできる。前記基台部３は、三脚４  （図２参照）に固定するようにしている。
【００１７】
前記カメラ台部２は基台部３に対して平行（地面に対して水平）となるようにマウントしていると共に、簡単取付接続具５を固定してカメラの着脱操作がワンタッチで素早くできるようにしている。前記簡単取付接続具５としてこの実施形態ではいわゆるクイックシューを用いたが、カメラはネジ等により基台部３に直接固定してもよい。雲台を用いて地面に対する傾斜角度等を自在に調節できるようにすると、カメラ１と地面との傾斜角度を一定に傾かせたまま描かせた軌跡でスローシャッター撮影（やバルブ撮影）をすることができる。
【００１８】
そして、前記基台部３に対してカメラ台部２が所定の軌跡を変移できる可変機構６を有し、撮影方向に対してカメラ１のレンズ７  （中心位置をプロペラマークで示す）が所定の軌跡を描き得るようにしている。前記可変機構６として、基台部３に設けられた回転機構によってカメラ台部２が支持されることにより、カメラ１のレンズ７が円軌跡乃至円弧軌跡を変移し得るようにしている。
【００１９】
具体的には、前記カメラ台部２の四隅から延設された軸体８  （図２参照）が、前記基台部３の回転機構の四箇所の車輪９に形成した孔部１０に軸支されている。各車輪９の前記孔部１０は半径の異なる内外２箇所に穿設しており、いずれかの孔部１０を選択することにより大小２種類の大きさの円軌跡乃至円弧軌跡を描けるようにしている。
【００２０】
また、四箇所の車輪９のうち一つにはハンドル１１を付けており、これによって回転・回動操作を行えるようにしている。各車輪９は二列の長穴１２を有する断面略Ｌ字型固定片１３に軸支すると共に、前記断面略Ｌ字型固定片１３により基台に対してビス１４でスライド可能に取り付けている。
【００２１】
次に、この実施形態のカメラ撮影用ツールの使用状態を説明する。
【００２２】
このカメラ撮影用ツールでは、カメラ１を固定するカメラ台部２が、これが設置される基台部３に対して所定の軌跡を変移できる可変機構６を有し撮影方向に対してカメラ１のレンズ７が所定の軌跡を描き得るようにしたので、カメラ１が静止した状態で撮影するのではなくレンズ７の位置が変移しながらその軌跡をスローシャッター撮影（やバルブ撮影）することができ、今までにはない新しい世界を表現することができるという利点がある。
【００２３】
また、前記基台部３に設けられた回転機構によってカメラ台部２が支持されることによりカメラ１のレンズ７が円軌跡乃至円弧軌跡を変移し得るようにしているので、カメラ１のレンズ７に円軌跡乃至円弧軌跡の曲線を辿らせつつスローシャッター撮影（やバルブ撮影）することにより今までにはない新しい世界を表現することができるという利点がある。
【００２４】
例えば真っ暗な空間に点光源がある場合、前記光源にカメラ１を向けてシャッターを押すと真っ暗な中に点光源が現像されるが、このカメラ撮影用ツールを用いカメラ１のレンズ７を任意の半径で３６０°回転させつつスローシャッター撮影（やバルブ撮影）すると、図４に示すように、点光源（ロウソク１５の炎１６）は円の軌跡を描いたものとして現像される。なお回転操作を３６０°未満とすると、対応する円弧の曲線を描いたものとして現像させることができる。また、回転途中に平行移動などの変移を追加すると、より複雑で凝った軌跡を有するものとして作品を作成することができる。
【００２５】
さらに、ハンドル１１操作を一定スピードではなく断続的に手かげんして行うと、速く回転させた領域は光の軌跡として現像され、一旦停止させた箇所はロウソク１５の実像が現像されることとなる。すなわち、手を一旦止めたところは単なる光の軌跡ではなく現物の像がしっかり認識されて現像されるので、はっきりとした実像が現れる箇所と軌跡のみの領域とが手かげんの具合に応じて併存するアート感覚溢れる作品とすることができる。
【００２６】
このカメラ撮影用ツールは、花その他のマクロの撮影にも利用することできる。またカメラ１として一眼レフ方式のものを用いると狙った構図そのままで軌跡をスローシャッター撮影（やバルブ撮影）することができ、より撮影者の意図に沿ったアートな作品を作成することができる。
【００２７】
さらに、前記カメラ台部２の四隅から延設された軸体８が、前記基台部３の回転機構の四箇所の車輪９に軸支されたこととしているので、カメラ台部２はその軸体８を介して基台部３の回転機構の四箇所の車輪９により滑らかな回転変移が可能であるという利点がある。
【００２８】
【発明の効果】
この発明は上述のような構成であり、次の効果を有する。
【００２９】
カメラが静止した状態で撮影するのではなくレンズの位置が変移しながらその軌跡を撮影することができるので、今までにはない新しい世界を表現することができるカメラ撮影用ツールを提供することができる。
【図面の簡単な説明】
【図１】この発明のカメラ撮影用ツールの実施形態を説明する全体斜視図。
【図２】図１のカメラ撮影用ツールを三脚に固定した状態を説明する正面図。
【図３】図１のカメラ撮影用ツールを説明する平面図。
【図４】図１のカメラ撮影用ツールを用いて撮影した作品を説明する図。
【符号の説明】
１  カメラ
２  カメラ台部
３  基台部
６  可変機構
７  レンズ
８  軸体
９  車輪
【要約】【課題】今までにはない新しい世界を表現することができるカメラ撮影用ツールを提供しようとするもの。
【解決手段】カメラ１を固定するカメラ台部２と前記カメラ台部２が設置される基台部３とを具備すると共に、前記基台部３に対してカメラ台部２が所定の軌跡を変移できる可変機構６を有し撮影方向に対してカメラ１のレンズ７が所定の軌跡を描き得るようにした。このカメラ撮影用ツールでは、カメラを固定するカメラ台部が、これが設置される基台部に対して所定の軌跡を変移できる可変機構を有し撮影方向に対してカメラのレンズが所定の軌跡を描き得るようにしたので、カメラが静止した状態で撮影するのではなくレンズの位置が変移しながらその軌跡を撮影することができる。
【選択図】        図１【図１】
0003567378.tif 000002
【図２】
0003567378.tif 000003
【図３】
0003567378.tif 000004
【図４】
0003567378.tif 000005